(57)【要約】      （修正有）【課題】スラットに施した印刷を室内と屋外の両側から見ることができるとともに、外光を採り入れつつも、印刷を見ることができるブラインドを提供する。【解決手段】スラット１２の一方の面に図柄エレメント２２の印刷がされており、スラット１２は半透明であり、スラット１２の一方の面に印刷された図柄エレメント２２がスラットを透してスラットの他方の面に現れるようになっている。これにより、印刷が施されていない側から見ると、あたかもブラインドの反対側にある実在の影がスラットに映っているかのような透かし絵効果を得ることができる。【選択図】図１
0003148684.tif 000002
【実用新案登録請求の範囲】
【請求項１】
支持部材に複数のスラットが吊り下げ支持され、各スラットを回転させることにより各スラット間から室内に外光を採り入れることが可能なブラインドにおいて、
スラットの一方の面に印刷が施されており、スラットは半透明であり、スラットの一方の面に施された印刷がスラットを透してスラットの他方の面に現れることを特徴とするブラインド。
【請求項２】
スラットが断面略Ｃ字状の形状を有しており、スラットの凹面に印刷が施され、凹面に施された印刷がスラットを透してスラットの凸面に現れることを特徴とする請求項１記載のブラインド。
【考案の詳細な説明】
【技術分野】
【０００１】
本考案は、印刷がなされたスラットを備えたブラインドに関する。
【背景技術】
【０００２】
従来のこの種のブラインドとしては、特許文献１に記載されたものが知られている。これによれば、各スラットの表面に印刷エレメントを施して互いに隣合うスラットの一部を重ねて遮蔽状態にしたとき、各スラットに印刷された印刷エレメントの組合わせによって１つもしくは複数の図柄となるように形成するとともに、遮蔽状態にしたときに重なって隠れる各スラットの表面の重ね代には、スラットに印刷される印刷エレメントと連続する印刷を延長して施している。
【０００３】
【特許文献１】特開２００４−３００８５８号公報
【考案の開示】
【考案が解決しようとする課題】
【０００４】
しかしながら、一般的に使用されているスラットの材料はアルミ製であるため、アルミ製のスラットの一面に印刷エレメントを施しても、スラットの他面からはその表面の印刷エレメントが見えないため、ブラインドの反対側から見ると、または他面だけが見えるようにスラットを回転させてしまうと、印刷が施されていないスラットだけを有する普通のブラインドと同等の意匠となってしまうという課題がある。
【０００５】
また、各スラットに印刷された印刷エレメントの組み合わせによって形成される図柄を見るためには、スラットを全閉状態にする必要があるが、スラットを完全に閉じてしまうと外光を採り入れることができないという課題がある。反対に、外光を採り入れるためにスラットを半開き状態にすると、図柄が間延びした状態になってしまうという課題もある。
【０００６】
この考案は上記のような課題を解決するためになされたもので、その目的は、印刷をブラインドの両側から見ることができ、且つ、外光を採り入れつつも、印刷を見ることができることができるブラインドを提供することである。
【課題を解決するための手段】
【０００７】
前述した目的を達成するために、請求項１記載の考案は、支持部材に複数のスラットが吊り下げ支持され、各スラットを回転させることにより各スラット間から室内に外光を採り入れることが可能なブラインドにおいて、
スラットの一方の面に印刷が施されており、スラットは半透明であり、スラットの一方の面に施された印刷がスラットを透してスラットの他方の面に現れることを特徴とする。
【０００８】
請求項２記載の考案は、請求項１記載のスラットが断面略Ｃ字状の形状を有しており、スラットの凹面に印刷が施され、凹面に施された印刷がスラットを透してスラットの凸面に現れることを特徴とする。
【考案の効果】
【０００９】
スラットの一方の面に印刷を施しても、スラットが半透明であり、スラットの一方の面に施された印刷がスラットを透して他方の面に現れるので、ブラインドを室内から見ても屋外から見てもその印刷を視認することができる。
【００１０】
印刷が施されていない側から見ると、あたかもブラインドの反対側にある実在の影がスラットに映っているかのような透かし絵効果を得ることができる。
【００１１】
直接印刷を見るのと、反対側の面から見るのとでは、スラット素材の透け感によって、異なった色調を得ることができる。
【００１２】
スラットは半透明のため、スラットを全閉状態にしても外光を室内に採り入れることができる。従って、外光を採り入れるためにスラットを回転させて半開き状態等にしなくてもよく、外光を採り入れつつ、間延びしない状態の印刷を見ることができる。
【００１３】
請求項２記載の考案によれば、スラットの凹面に印刷を施すことによって、スラットの凸面を室内側に向けて閉じることにより、室内からブラインドを見たときに屋外にあるものの影がスラットに映っているような効果を得ることができる。
【００１４】
スラットを水平状態としたときに通常下面となるスラットの凹面に印刷を施すことにより、印刷面に埃等がつきにくく、長期間にわたり印刷面を綺麗に保つことができる。
【考案を実施するための最良の形態】
【００１５】
以下、図面を用いて本考案の実施の形態を説明する。
図１は本考案に係るブラインドを室内側から見た正面図であり、図２は本ブラインドを屋外側から見た正面図である。
【００１６】
窓枠または壁等の固定部に取り付けられる支持部材１０に複数のスラット１２がラダーコード１４によって整列状態に吊り下げ支持されており、スラット１２列の下端にはボトムレール１６が配置され、このボトムレール１６にスラット１２の昇降を行うための昇降コード１８の一端が連結されている。昇降コード１８は、その他端側がスラット１２列を挿通して、支持部材１０に導入され、支持部材１０の一端から外部に垂下する。また、支持部材１０内には、ラダーコード１４を傾動させるためのスラット回転機構が設けられ、支持部材１０からは、このスラット回転機構を駆動するための操作コード２０も垂下する。操作コード２０を操作することで、スラット１２が回転して、水平状態となった全開状態、略垂直状態となった全閉状態、その途中の状態といった任意の角度に変化することができる。
【００１７】
図３（ｃ）及び（ｄ）に示したように、各スラット１２は断面略Ｃ字状の形状を有しており、光をある程度透過させることが可能な半透明となっている。このため、スラット１２は、アルミ等の金属製ではなく、ポリカーボネイト樹脂等の合成樹脂製となっている。
【００１８】
図３（ｂ）及び（ｄ）に示したように、全スラット１２のうち、幾つかのスラット１２の一方の面、好ましくは、凹面１２ａには図柄エレメント２２が印刷されている。スラット１２の透明度は、スラット１２の一方の面に形成した図柄エレメント２２が他方の面から透けて現れる程度で、曇りガラスに近いものとなっており、他方の面、好ましくは凸面１２ｂには、図柄エレメント２２が図３（ａ）及び（ｃ）に示したように反転した形で現れるようになっている。図面エレメント２２を直接見るのと透かして見るのとでは、スラット１２の素材による透明度によって異なった色調を得ることができる。
【００１９】
そして、複数のスラット１２の図柄エレメント２２は、スラット１２が全閉状態になったときに、組み合わされて全体の図柄を形成するようになっている。
【００２０】
この図柄としては、図示例のような絵とする他に、模様、記号、文字、その他印刷によって表現できる任意のものとすることが可能である。また、この例では、各図柄エレメントの集合によって１つの大きな図柄が完成するようになっているが、これに限らず、各図柄エレメントで１つの図柄が完成することでもよい。
【００２１】
図柄エレメント２２は、インクジェット印刷またはシルクスクリーン印刷等によりスラット１２に印刷することができる。
【００２２】
スラット１２への図柄２２の印刷方法は、まず、数枚のスラット１２をパレットに載せる。例えば、８枚のスラット２を２ミリ程度の間隔をもって固定した状態で並べる。次に、スラット１２をパレットごとインクジェット印刷機に通し、印刷する。なお、インクジェット印刷機には予めスラット１２の全閉状態での重なり代を考慮し、スラット１２が全閉状態になったときに最良の図柄が形成されるように各スラット１２に印刷するべき図柄エレメント２２のデザインがインプットされている。また、重なり代については、特許文献１で示されたようにスラット１２に印刷される図柄エレメントと連続する印刷を延長して施すとよい。
【００２３】
図４に本考案に係るブラインドを窓枠に取り付けた様子を示す。図４の右側のブラインド４０は、スラットが全閉状態となっており、左側のブラインド４０は、スラットが全開状態となっている。スラットの全閉状態は、凸面１２ｂが室内側に凹面１２ａが屋外側に向くか、またはその反対に凸面１２ｂが屋外側に凹面１２ａが室内側に向くか、のいずれかの状態で実現することができるが、通常、凸面１２ｂが室内側に、凹面１２ａが屋外側に位置するように配置されることが多い。このとき、室内からブラインド４０を見ると、ブラインド４０の室内側にスラット１２を透して図柄が現れるために、ブラインド４０を室内からであっても図柄を見ることができる。このときに、屋外からも図柄を見ることができる。
【００２４】
特に、図柄エレメントとして、黒系またはグレー系の着色の印刷がなされているときには、その室内側に現れる図柄が、屋外にある実在の影がスラットに映っているような効果を得ることができる。よって図柄として、屋外に実在し得る風景や動物などとすることによって、現実的な図柄を表すことができる。または、スラット１２の透明度によって、幻想的な図柄を現すことができる。また、図柄エレメント２２の印刷のムラなども反対側から見えないようにすることができる。
【００２５】
また、スラット１２が半透明であるために、スラット１２の透明度によっては屋外の実際の景色（図４の場合、木２４）のシルエット２６も透かし絵のように映すことができる。
【００２６】
スラット１２が半透明であるために、スラット１２を全閉状態にしていても、光を部分的に採り入れることができ、従って、外光を採り入れるためにスラット２２を回転させて半開き状態等にしなくてもよく、外光を採り入れつつ、間延びしない状態の図柄を見ることができる。
【００２７】
また、スラット１２を全開状態である水平状態としたときには、凹面１２ａが通常下面となるため、その凹面１２ａに図柄エレメント２２の印刷をすることにより、印刷面に埃等がつきにくく、長期間にわたり図柄エレメント２２を綺麗に保つことができる。
【図面の簡単な説明】
【００２８】
【図１】本考案に係るブラインドを室内側から見た正面図である。
【図２】図１のブラインドを屋外側から見た正面図である。
【図３】（ａ）はスラット１２の一端部を凸面側から見た正面図であり、（ｂ）は（ａ）を凹面側から見た正面図であり、（ｃ）はスラット１２の一部を凸面側から見た斜視図であり、（ｄ）は（ｃ）を凹面側から見た斜視図である。
【図４】本考案に係るブラインドを窓枠に取り付けた様子を示す正面図である。
【符号の説明】
【００２９】
１０  支持部材
１２  スラット
１２ａ  凹面
１２ｂ  凸面
２２  図柄エレメント
４０  ブラインド
【図３】
0003148684.tif 000003
【図４】
0003148684.tif 000004
【図１】
0003148684.tif 000005
【図２】
0003148684.tif 000006